(57)【要約】【課題】コンバインのモニタ表示装置において、グレンタンクの満杯近くの表示を判り易くする。【解決手段】グレンタンク４に、穀粒センサＳＥ１，ＳＥ２，ＳＥ３と、最上部の穀粒センサＳＥ３の上方の満杯穀粒センサＳＥｆを設け、表示切換スイッチＳＷ１のＯＮ操作により液晶表示部１２ｂの表示画面を通常画面から車体表示画面、メンテナンスモード表示画面に切り換え、通常画面では車速表示１２ｃ、穀粒貯溜表示１２ｄ、燃料残存量表示１２ｅ及びエンジンの負荷回転数表示１２ｆをする。通常画面で、穀粒センサＳＥ１，ＳＥ２の穀粒検出に従い貯溜量表示図形を順次増加修正し、上部の穀粒センサＳＥ３が穀粒を検出すると、満杯直前の多量貯溜図形表示と満杯が近い旨の文字表示をし、満杯穀粒センサＳＥｆが穀粒を検出すると、満杯図形表示と満杯である旨の文字表示をする。【選択図】図７
2009254280.tif 000002
【特許請求の範囲】
【請求項１】
グレンタンク（４）に、穀粒の貯溜レベルを順次検出する複数の穀粒センサ（ＳＥ１，ＳＥ２，ＳＥ３）を設け、該複数の穀粒センサ（ＳＥ１，ＳＥ２，ＳＥ３）のうちの最上部の穀粒センサ（ＳＥ３）の上方に満杯穀粒センサ（ＳＥｆ）を設け、前記操縦部（３）に設けたモニタ表示器（１２）には液晶表示部（１２ｂ）と表示切換スイッチ（ＳＷ１）とホーン停止スイッチ（ＳＷ２）を設け、前記表示切換スイッチ（ＳＷ１）のＯＮ操作によって液晶表示部（１２ｂ）の表示画面を通常画面から車体表示画面及びメンテナンスモード表示画面に変更可能に構成し、前記液晶表示部（１２ｂ）の通常画面では、車速表示（１２ｃ）とグレンタンク（４）の穀粒貯溜表示（１２ｄ）と燃料残存量表示（１２ｅ）とエンジンの負荷回転数表示（１２ｆ）を行い、前記通常画面でグレンタンク（４）の貯溜量を表示するにあたり、前記複数の穀粒センサ（ＳＥ１，ＳＥ２，ＳＥ３）のうちの下段の穀粒センサ（ＳＥ１）が穀粒を検出しないグレンタンク空図形表示から前記複数の穀粒センサ（ＳＥ１，ＳＥ２，ＳＥ３）が穀粒を検出するに従って順次増加するグレンタンク貯溜量増加図形表示を行い、前記最上部の穀粒センサ（ＳＥ３）が穀粒を検出すると、満杯直前のグレンタンク多量貯溜図形表示とグレンタンクの満杯が近い旨の文字表示及び又は音声報知を行い、前記満杯穀粒センサ（ＳＥｆ）が穀粒を検出すると、グレンタンク満杯図形表示とグレンタンク満杯である旨の文字表示及び又は音声報知をする構成としたことを特徴とするコンバインのモニタ表示装置。
【請求項２】
前記グレンタンク（４）が満杯の状態では穀粒満杯の図形を表示し、穀粒の排出が進み上部及び中間の穀粒センサ（ＳＥ３、ＳＥ２）が穀粒なしを検出するに従って、液晶表示部（１２ｂ）の通常画面においてグレンタンク貯溜量を順次減少する図形を表示し、穀粒の排出が進み下部の穀粒センサ（ＳＥ１）が穀粒なしを検出すると、グレンタンク極少量貯溜の図形表示とその旨の文字表示及び又は音声報知をする構成としたことを特徴とする請求項１記載のコンバインのモニタ表示装置。
【発明の詳細な説明】
【技術分野】
【０００１】
この発明は、コンバインのモニタ表示装置に関するものである。
【背景技術】
【０００２】
コンバインのモニタ表示装置において、脱穀部、刈取部、運転席を備え、収穫作業動作状況を表示する総合表示器を運転席近傍の操作部に設け、総合表示器のモニタ表示部を、車速の表示と、コントローラの情報表示に、切換スイッチの操作により切り換えるものは、公知である（特許文献１）。
【特許文献１】特開２００１−２５１９３９号公報
【発明の開示】
【発明が解決しようとする課題】
【０００３】
本発明は、コンバインのモニタ表示装置において、モニタ表示器の作業走行状態のモニタ表示からメンテナンスモードへ迅速に移行してメンテナンスモードの設定作業能率を高めると共に、グレンタンクの穀粒貯溜状態をオペレータに分かりやすく表示しようとするものである。
【課題を解決するための手段】
【０００４】
請求項１の発明は、グレンタンク（４）に、穀粒の貯溜レベルを順次検出する複数の穀粒センサ（ＳＥ１，ＳＥ２，ＳＥ３）を設け、該複数の穀粒センサ（ＳＥ１，ＳＥ２，ＳＥ３）のうちの最上部の穀粒センサ（ＳＥ３）の上方に満杯穀粒センサ（ＳＥｆ）を設け、前記操縦部（３）に設けたモニタ表示器（１２）には液晶表示部（１２ｂ）と表示切換スイッチ（ＳＷ１）とホーン停止スイッチ（ＳＷ２）を設け、前記表示切換スイッチ（ＳＷ１）のＯＮ操作によって液晶表示部（１２ｂ）の表示画面を通常画面から車体表示画面及びメンテナンスモード表示画面に変更可能に構成し、前記液晶表示部（１２ｂ）の通常画面では、車速表示（１２ｃ）とグレンタンク（４）の穀粒貯溜表示（１２ｄ）と燃料残存量表示（１２ｅ）とエンジンの負荷回転数表示（１２ｆ）を行い、前記通常画面でグレンタンク（４）の貯溜量を表示するにあたり、前記複数の穀粒センサ（ＳＥ１，ＳＥ２，ＳＥ３）のうちの下段の穀粒センサ（ＳＥ１）が穀粒を検出しないグレンタンク空図形表示から前記複数の穀粒センサ（ＳＥ１，ＳＥ２，ＳＥ３）が穀粒を検出するに従って順次増加するグレンタンク貯溜量増加図形表示を行い、前記最上部の穀粒センサ（ＳＥ３）が穀粒を検出すると、満杯直前のグレンタンク多量貯溜図形表示とグレンタンクの満杯が近い旨の文字表示及び又は音声報知を行い、前記満杯穀粒センサ（ＳＥｆ）が穀粒を検出すると、グレンタンク満杯図形表示とグレンタンク満杯である旨の文字表示及び又は音声報知をする構成としたことを特徴とするコンバインのモニタ表示装置とする。
【０００５】
前記構成によると、表示切換スイッチ（ＳＷ１）のＯＮ操作により、液晶表示部（１２ｂ）の表示画面が通常画面から車体表示画面及びメンテナンスモード表示画面に変更され、液晶表示部（１２ｂ）の通常画面では、車速表示（１２ｃ）、グレンタンク（４）の穀粒貯溜表示（１２ｄ）、燃料残存量表示（１２ｅ）及びエンジンの負荷回転数表示（１２ｆ）が表示される。
【０００６】
また、通常画面でのグレンタンク（４）の穀粒貯溜量表示は、下段の穀粒センサ（ＳＥ１）の検出なしのグレンタンク空図形表示から複数の穀粒センサ（ＳＥ１，ＳＥ２，ＳＥ３）の穀粒検出に従って順次増加するグレンタンク貯溜量増加図形表示がなされ、上部の穀粒センサ（ＳＥ３）が穀粒を検出すると、満杯直前のグレンタンク多量貯溜図形表示とグレンタンクの満杯が近い旨の文字表示及び又は音声報知がなされる。また、満杯穀粒センサ（ＳＥｆ）が穀粒を検出すると、グレンタンク満杯図形表示とグレンタンク満杯である旨の文字表示及び又は音声報知がなされる。
【０００７】
請求項２の発明は、前記グレンタンク（４）が満杯の状態では穀粒満杯の図形を表示し、穀粒の排出が進み上部及び中間の穀粒センサ（ＳＥ３、ＳＥ２）が穀粒なしを検出するに従って、液晶表示部（１２ｂ）の通常画面においてグレンタンク貯溜量を順次減少する図形を表示し、穀粒の排出が進み下部の穀粒センサ（ＳＥ１）が穀粒なしを検出すると、グレンタンク極少量貯溜の図形表示とその旨の文字表示及び又は音声報知をする構成としたことを特徴とする請求項１記載のコンバインのモニタ表示装置とする。
【０００８】
前記構成によると、請求項１発明の前記作用に加えて、グレンタンク（４）の満杯状態から穀粒を排出する際には、通常画面のグレンタンク穀粒貯溜表示が、満杯の図形表示から穀粒の排出が進み上部及び中間の穀粒センサ（ＳＥ３、ＳＥ２）が穀粒なしを検出するに従って、グレンタンク貯溜量が順次減少する図形表示がなされ、また、穀粒の排出が進み下部の穀粒センサ（ＳＥ１）が穀粒なしを検出すると、極少量の穀粒貯溜図形表示とその旨の文字表示及び又は音声報知がなされる。
【発明の効果】
【０００９】
請求項１記載の発明によると、グレンタンク４の穀粒貯溜量が満杯近くあるいは満杯になると、モニタ表示画面にグレンタンク満杯間近あるいは満杯の図形表示並びにその旨の文字表示及び音声報知をするので、オペレータと補助作業者はグレンタンク４の穀粒多量貯溜状態を確実に知ることができる。
【００１０】
請求項２記載の発明によると、上記請求項１記載の発明の効果に加えて、グレンタンク４の穀粒排出終了間近になると、極少量貯溜の図形表示並びにその旨の文字表示及び音声報知をするので、オペレータと補助作業者はグレンタンク４の穀粒排出の終了が近いことを確実に知ることができる。
【発明を実施するための最良の形態】
【００１１】
以下、図面に示すこの発明の実施の形態について説明する。
まず、図１により本発明を備えたコンバインの全体構成について説明する。図１にはコンバインの全体側面図が図示されている。コンバインの走行車体１の下方には左右走行クローラ２，２を配設し、走行車体１上には、右側前部に座席付きの操縦部３を、その後方にはエンジン（図示省略）及び穀粒収納用のグレンタンク４を配設し、走行車体１の左側部に脱穀部５を搭載し、脱穀部５の下方には選別部６を設け、走行車体１の前側部には刈取搬送部７を昇降自在に設けている。また、脱穀部５及びグレンタンク４の後方に排稾処理装置８を設けている。
【００１２】
次に、図２に基づき操縦部３について説明する。
操縦部３の座席３ａの前側部には、フロント操作ボックス３ｂを、左側部にはサイド操作ボックス３ｃを設けている。フロント操作ボックス３ｂの右側端部にパワステアリングレバー１１を、正面部にモニタ表示器１２を設けている。サイド操作ボックス３ｃには、前側から後側にかけてスイッチの入切を表示するスイッチパネル１３、エンジンの燃料噴射量を調節するアクセルレバー１４、エンジンからの走行動力及び作業動力を無段変速する無段変速装置（図示省略）変速用の主変速レバー１５、副変速装置（図示省略）変速用の副変速レバー１６、刈取搬送部７及び脱穀部５への動力入切用の刈取脱穀クラッチレバー１７を配設している。
【００１３】
なお、前記パワステアリングレバー１１は、機体の進行方向を操舵したり、あるいは、刈取搬送部７を昇降するもので、パワステアリングレバー１１を左側に操作すると、倒し操作量に応じて機体走行方向が左側に方向操舵され、右側に操作すると右側に操舵修正される。また、パワステアリングレバー１１を前方に操作すると、刈取搬送部７が下降し、後方に操作すると上昇する構成である。
【００１４】
次に、図４に基づきコンバインのモニタ表示装置のブロック構成について説明する。
モニタ表示制御コントローラＣ１、刈取走行制御コントローラＣ２及び車体水平制御コントローラＣ３を近接配置し、これらコントローラＣ１，Ｃ２，Ｃ３をＣＡＮ通信等のコントローラ間通信手段Ｃ１ａを経由してモニタ表示制御コントローラＣ１のモニタ表示項目選択手段Ｃ１ｂに接続し、モニタ表示項目選択手段Ｃ１ｂからモニタ表示制御手段Ｃ１ｃ、液晶出力回路Ｃ１ｄを経て、モニタ表示器１２の液晶本体１２ａにモニタ表示するように構成している。また、モニタ表示器１２に設けた表示切換スイッチＳＷ１、ホーン停止スイッチＳＷ２をデジタル信号入力処理回路を経由して、モニタ表示項目選択手段Ｃ１ｂに入力している。
【００１５】
モニタ表示器１２の中央部には、図３に示すように液晶表示部１２ｂを設けている。この液晶表示部１２ｂの通常画面では、秒速及び時速で車速を表示する車速表示１２ｃ、グレンタンク４の穀粒貯溜表示１２ｄ、燃料残存量表示１２ｅ、及び、エンジンの負荷回転数表示１２ｆ、エンジンの高負荷表示灯１２ｇを表示をするように構成している。また、モータ表示器１２の左右両側部には、左右ウインカ表示ランプＬ１，Ｌ２、前照灯表示ランプＬ３、後照灯表示ランプＬ４、ホーン表示ランプＬ５、表示切換スイッチＳＷ１、ホーン停止スイッチＳＷ２を設けている。
【００１６】
また、前記表示切換スイッチＳＷ１をＯＮ操作する毎に、液晶表示部１２ｂが前記通常画面から車体表示画面、メンテナンスモード画面に順次切り換えられる。そして、表示切換スイッチＳＷ１のＯＮ操作にもかかわらず、前記刈取走行制御コントローラＣ２、車体水平制御コントローラＣ３からのモニタ情報が得られないと判断した場合には、当該コントローラのモニタ情報を表示せずに、次の表示切換スイッチＳＷ１のＯＮ操作により次の順位のモニタ情報を表示するようにしている。
【００１７】
図５（Ａ）はモニタ表示の切換状態を示すもので、例えば、モニタ表示制御コントローラＣ１に刈取走行制御コントローラＣ２及び車体水平制御コントローラＣ３が接続されている場合には、表示切換スイッチＳＷ１の第１のＯＮ操作により、通常画面の「エンジンの負荷表示、走行速度、グレンタンク４の穀粒収納量及び燃料残存量」が表示される。次いで、表示切換スイッチＳＷ１の第２のＯＮ操作により、「車体水平制御による車体傾斜状態」が表示され、表示切換スイッチＳＷ１の第３のＯＮ操作により、「車体水平制御による車高状態」が表示される。
【００１８】
また、モニタ表示制御コントローラＣ１に車体水平制御コントローラＣ３が接続されていない場合（あるいは、通信回線の故障の場合）には、図５（Ｂ）に示すように、表示切換スイッチＳＷ１の第１のＯＮ操作により、通常画面の「エンジンの負荷表示、走行速度、グレンタンク４の穀粒収納量及び燃料残存量」が図５（Ａ）と同様に表示される。次いで、表示切換スイッチＳＷ１の第２のＯＮ操作をしても、「車体水平制御による車体傾斜状態」のモニタ情報が受信されていない場合には、モニタ表示がされない。また次いで、表示切換スイッチＳＷ１の第３のＯＮ操作をしても、「車体水平制御による車高状態」のモニタ情報が受信されてないときには、モニタ表示はされない。
【００１９】
次に、図６及び図７に基づき液晶表示部１２ｂの通常画面の他の実施形態について説明する。
液晶表示部１２ｂの表示画面が、表示切換スイッチＳＷ１をＯＮ操作する毎に、通常画面から車体表示画面、メンテナンスモード表示画面に変更するモニタ表示装置において、図６に示すように、グレンタンク４の穀粒貯溜具合を順次検出するように所定間隔毎に例えば３個の下部穀粒センサＳＥ１，中間穀粒センサＳＥ２，上部穀粒センサＳＥ３を設けている。この上部穀粒センサＳＥ３の上方に満杯穀粒センサＳＥｆを設け、これらセンサの検出情報をモニタ表示制御コントローラＣ１Ｃ１に入力するように構成している。
【００２０】
しかして、液晶表示部１２ｂの通常画面において、グレンタンク４が空で下段穀粒センサＳＥ１が穀粒検出なしのＯＦＦのときには、図７（Ａ）に示すように、グレンタンク４の空図形表示をする。次いで、下段穀粒センサＳＥ２が穀粒を検出してＯＮになると、図７（Ｂ）に示すように、貯溜量に応じた少量貯溜の図形表示をする。次いで、上部穀粒センサＳＥ３が穀粒を検出してＯＮになると、図７（Ｃ）に示すように、満杯直前の多量貯溜図形表示をすると共に、「間もなくタンクが満杯になります」と文字表示をする。次いで、満杯穀粒センサＳＥｆが穀粒を検出してＯＮになると、図７（Ｄ）に示すように、満杯図形表示をすると共に、「タンク満杯です。排出してください」との文字表示をする。
【００２１】
また、次ぎのように構成してもよい。上部穀粒センサＳＥ３がＯＮした場合には、多量貯溜の図形表示、及び、「間もなくタンクが満杯になります」との文字表示すると共に、ブザーを所定回数鳴らすようにする。次いで、満杯穀粒センサＳＥｆがＯＮすると、満杯貯溜の図形表示、及び、「タンク満杯です。排出してください」の文字表示をすると共に、ブザーの断続音を鳴らし、満杯穀粒センサＳＥｆがＯＦＦするとブザーを停止する。なお、前記ホーン停止スイッチＳＷ２をＯＮするとブザー音を停止することができる。
【００２２】
前記構成によると、グレンタンク４の穀粒貯溜量が満杯近くあるいは満杯になると、モニタ表示画面に図形表示、文字表示及び音声報知をして報知するので、オペレータと補助作業者はグレンタンク４の満杯及び満杯の近いことを確実に知ることができる。
【００２３】
次に、図８に基づきグレンタンク４の穀粒排出時のモニタ表示について説明する。
通常画面において、グレンタンク４の満杯時には、図８（Ａ）に示すように、グレンタンク４の穀粒満杯図形表示をし、次いで、穀粒の排出が進み、上部穀粒センサＳＥ３がＯＮからＯＦＦになると、図７（Ｂ）に示すように、多量貯溜図形表示をする。次いで、穀粒の排出が更に進み中間穀粒センサＳＥ２がＯＮからＯＦＦなると、図８（Ｃ）に示すように、少量貯溜の図形表示をする。次いで、穀粒の排出が進み下部穀粒センサＳＥ１がＯＮからＯＦＦになると、図８（Ｄ）に示すように、極少量貯溜の図形表示をし、次いで、所定時間経過すると、図８（Ｅ）に示すように、極少量貯溜の図形表示をすると共に、「間もなく排出が終了します」の文字表示をし、次いで、所定時間が経過すると、図８（Ｆ）に示すように、穀粒排出完了の図形表示すると共に、ブザーの音声報知をし、所定時間経過すると、この図形表示及び音声報知を停止する。
【００２４】
前記構成によると、グレンタンク４の穀粒の排出終了間近になると、極少量貯溜の図形表示と「間もなく排出が終了します」の文字表示をし、また、排出が完了すると穀粒の排出完了の図形表示とブザーの音声報知をするので、オペレータと補助作業者は穀粒排出の終了予告状態及び排出終了状態を確実に知ることができる。
【００２５】
次に、図９に基づきモニタ表示の他の実施形態について説明する。
液晶表示部１２ｂの表示画面は、通常画面の表示状態で表示切換スイッチＳＷ１をＯＮ操作する毎に、図９（Ａ〜Ｃ）に示すように、車体表示画面、メンテナンスモード画面、通常画面に順次切り換えられる。
【００２６】
また、メンテナンスモードにおいて、表示切換スイッチＳＷ１とホーン停止スイッチＳＷ２を同時にＯＮすると、図９（Ｄ）に示すように、第１の選択画面である整備モードに移行し、故障箇所を容易に把握できるように構成している。整備モードに移行した後に、表示切換スイッチＳＷ１とホーン停止スイッチＳＷ２を同時にＯＮする毎に、選択画面であるチエックモード画面、センサ調整モード画面、異常履歴表示モードに順次切り換えられる。各選択画面では、これら画面に設けているスイッチ類を操作し選択モードの設定調整作業を実行する。さお、選択モード画面では、表示切換スイッチＳＷ１をＯＮする毎にモード選択画面を順次切り換え、また、ホーン停止スイッチＳＷ２をＯＮすると、当該モードを終了するように構成している。
【００２７】
前記構成によると、コンバインの稼働状態を表示するモニタ表示器１２を利用して、整備モードに迅速に移行し、整備モードでは整備に必要な項目を迅速に入手チエックでき、整備作業を容易迅速に行なうことができる。
【００２８】
次に、図１０に基づきモニタ表示の他の実施形態について説明する。
液晶表示部１２ｂの表示画面が通常画面表示状態で表示切換スイッチＳＷ１をＯＮ操作すると、、図１０（Ａ〜Ｃ）に示すように、メンテナンスモード画面、車体表示画面、通常画面に順次切り換えられる。
【００２９】
また、メンテナンスモードにおいて例えばホーン停止スイッチＳＷ２をＯＮすると、図１０（Ｅ）に示すように、メンテナンス選択画面のエンジン始動設定モードに移行し、ホーン停止スイッチＳＷ２をＯＮする毎に、図１０（Ｆ〜Ｈ）に示すように、液晶コントラスト調整モード、メンテナンス情報モード、モード選択モードに切り換えられる。そして、これら選択画面の上側部左右両側に設けている戻るスイッチ、進むスイッチ、及び、下側部左側の選択画面移動用の表示切換スイッチＳＷ１、下側部右側の選択画面決定用のホーン停止スイッチＳＷ２を操作し、選択モードの設定調整作業を実行する。
【００３０】
前記構成によると、コンバインの稼働状態を表示するモニタ表示器１２を利用して、メンテナンスモードに迅速に移行することができ、また、メンテナンスモードでは選択画面に設けたスイッチ及びモニタ表示器１２に設けたスイッチを操作することにより、容易迅速に設定作業をすることができる。
【００３１】
次に、図１１に基づきモニタ表示の他の実施形態について説明する。
液晶表示部１２ｂの表示画面が通常画面の表示状態で表示切換スイッチＳＷ１をＯＮ操作する毎に、図１１（Ａ〜Ｃ）に示すように、メンテナンスモード画面、車体表示画面、通常画面に順次切り換えられる。
【００３２】
また、図１１（Ｄ）に示すよう、メンテナンスモードにおいて、例えば表示切換スイッチＳＷ１及びホーン停止スイッチＳＷ２を同時にＯＮすると選択画面が順次切り換えられ、図１１（Ｅ〜Ｉ）に示すようにに、例えばエンジン始動設定画面、液晶コントラスト調整画面、メンテナンス情報画面、モード選択画面及びＡＣＤ（走行）モード選択画面に切り換えられる。
【００３３】
そして、これら画面の上側部左右両側に設けている戻るスイッチ、進むスイッチ、及び、下側部左側の選択画面移動用の表示切換スイッチＳＷ１、下側部右側の選択画面決定用のホーン停止スイッチＳＷ２を操作し、選択画面の設定調整をする。
【００３４】
また、ＡＣＤ（走行）モード選択画面を選択した場合には、表示画面の進むスイッチをＯＮして、図１１（Ｊ〜Ｋ）に示すように、選択画面の表示を変更し、表示切換スイッチＳＷ１のＯＮ操作で「標準」「疎植」の選択変更をし、ホーン停止スイッチＳＷ２をＯＮすることにより、走行操舵制御装置を標準株間制御用の「標準」、あるいは、疎間隔株間用の「疎植」に切り換え設定することができる。
【００３５】
前記構成によると、コンバインの稼働状態を表示するモニタ表示器１２を利用して、メンテナンスモードに迅速に移行し、また、メンテナンスモードでは選択画面に設けたスイッチ及びモニタ表示器１２に設けたスイッチを操作することにより、メンテナンスモードを容易迅速に実行することができる。また、メンテナンスモードにＡＣＤ（走行）モード選択機能を追加することにより、走行操舵制御装置を標準株間制御用、あるいは、疎間隔株間用に迅速に切り換え、刈取条件の適応性を高めることができる。
【００３６】
次に、図１２に基づきモニタ表示の他の実施形態について説明する。
液晶表示部１２ｂの表示画面が通常画面の状態で表示切換スイッチＳＷ１をＯＮ操作する毎に、、図１２（Ａ〜Ｃ）に示すように、メンテナンスモード画面、車体表示画面、通常画面に順次切り換えるように構成している。
【００３７】
また、メンテナンスモードにおいて、例えばホーン停止スイッチＳＷ２をＯＮすることにより、図１２（Ｅ〜Ｉ）に示すように、選択画面であるエンジン始動設定画面、液晶コントラスト調整画面、メンテナンス情報画面、モード選択画面、負荷警報モード選択画面を順次切換表示する。そして、これら選択画面の上側部左右両側に設けている戻るスイッチ、進むスイッチ、下側部左右両側に設けている表示切換スイッチＳＷ１及びホーン停止スイッチＳＷ２を操作し、選択モードの調整をする。また、負荷警報モード選択画面を選択した場合には、表示画面の進むスイッチをＯＮして、図１２（Ｊ〜Ｋ）に示すように、選択画面の「ＯＮ」「ＯＦＦ」の選択マークを移動調整し、ホーン停止スイッチＳＷ２をＯＮすることにより「ＯＮ」「ＯＦＦ」の決定をし、エンジンの過負荷制御装置における警報有り、あるいは、警報なしを選択する。
【００３８】
前記構成によると、コンバインの稼働状態を表示するモニタ表示器１２を利用して、メンテナンスモードに迅速に移行し、また、メンテナンスモードでは表示画面に設けたスイッチ及びモニタ表示器１２に設けたスイッチを操作することにより、メンテナンスモードを容易迅速に実行することができる。また、メンテナンスモードに負荷警報選択モードを追加することにより、エンジンの過負荷制御装置における警報有り、あるいは、警報なしを選択し、ブザー音をオペレータの好みに合わせてＯＮ／ＯＦＦすることができる。
【図面の簡単な説明】
【００３９】
【図１】コンバインの側面図
【図２】コンバイン操縦部の平面図
【図３】モニタ表示器の拡大正面図
【図４】制御ブロック図
【図５】モニタ表示器の表示内容を示す図
【図６】グレンタンクの側面図、正面図
【図７】モニタ表示器の表示内容を示す図
【図８】モニタ表示器の表示内容を示す図
【図９】モニタ表示器の表示内容を示す図
【図１０】モニタ表示器の表示内容を示す図
【図１１】モニタ表示器の表示内容を示す図
【図１２】モニタ表示器の表示内容を示す図
【符号の説明】
【００４０】
１        走行車体
２        走行クローラ
３        操縦部
４        グレンタンク
７        刈取搬送部
１２      モニタ表示器
１２ｂ    液晶表示部
１２ｃ    車速表示
１２ｄ    グレンタンクの穀粒貯溜表示
１２ｅ    燃料残存量表示
１２ｆ    エンジンの負荷回転数表示
ＳＥ１    下部穀粒センサ
ＳＥ２    中間部穀粒センサ
ＳＥ３    上部穀粒センサ
ＳＥｆ    満杯穀粒センサ
ＳＷ１    表示切換スイッチ
ＳＷ２    ホーン停止スイッチ
【図１】
2009254280.tif 000003
【図２】
2009254280.tif 000004
【図３】
2009254280.tif 000005
【図４】
2009254280.tif 000006
【図５】
2009254280.tif 000007
【図６】
2009254280.tif 000008
【図７】
2009254280.tif 000009
【図８】
2009254280.tif 000010
【図９】
2009254280.tif 000011
【図１０】
2009254280.tif 000012
【図１１】
2009254280.tif 000013
【図１２】
2009254280.tif 000014